(57)【要約】【課題】電池パックの充電中に電気機器への給電を可能とした充電装置の提供。【解決手段】  二次電池セルを収容する電池パックと接続可能な第１接続部と、該電池パックを電源として駆動する電気機器と接続可能な第２接続部と、該第１接続部と接続される該電池パックを充電可能且つ該第２接続部と接続される該電気機器に給電可能な電力供給回路部と、を備える。【選択図】図１
2015211607.tif 000002
【特許請求の範囲】
【請求項１】
二次電池セルを収容する電池パックと接続可能な第１接続部と、
該電池パックを電源として駆動する電気機器と接続可能な第２接続部と、
該第１接続部と接続される該電池パックを充電可能且つ該第２接続部と接続される該電気機器に給電可能な電力供給回路部と、を備えることを特徴とする充電装置。
【請求項２】
該第２接続部は、該電気機器に設けられ且つ該電池パックが接続される機器側接続部と接続されることを特徴とする請求項１に記載の充電装置。
【請求項３】
該第２接続部は、一対の出力端子を有し、
該一対の出力端子の離間距離は、該電池パックが有する一対の放電端子の離間距離と略等しいことを特徴とする請求項２に記載の充電装置。
【請求項４】
該電力供給回路部は、該電池パックの充電中に該電気機器に給電可能であることを特徴とする請求項１乃至３のいずれか１項に記載の充電装置。
【請求項５】
該電力供給回路部は、該電気機器への給電中に該電池パックを充電可能であることを特徴とする請求項１又は４のいずれか１項に記載の充電装置。
【請求項６】
該電力供給回路部を収容するハウジングを備え、
該第１接続部と該第２接続部とは、該ハウジングの同一の面に設けられていることを特徴とする請求項１乃至５のいずれか１項に記載の充電装置。
【請求項７】
該電池パックを該第１接続部に向かう第１方向にガイドする第１ガイド部と、
該電気機器を該第１方向において該第２接続部よりも下流側から該第２接続部に向けてガイドする第２ガイド部と、備え、
該第２接続部は、該第１方向において該第１接続部よりも下流側に位置していることを特徴とする請求項６に記載の充電装置。
【請求項８】
該電池パックを該第１接続部に向かう第１方向にガイドする第１ガイド部と、
該電気機器を該第１方向において該第２接続部よりも下流側から該第２接続部に向けてガイドする第２ガイド部と、を備え、
該第１接続部及び該第２接続部は、該第１方向に略直交する方向において並んで設けられていることを特徴とする請求項６に記載の充電装置。
【請求項９】
該第２接続部に接続される該電気機器の機能を用いて該第１接続部に接続された該電池パックの状態を報知する報知手段を更に備えることを特徴とする請求項１乃至８のいずれか１項に記載の充電装置。
【請求項１０】
該報知手段は、該電池パックの状態を報知するための報知信号を該電気機器に出力する信号出力手段を有することを特徴とする請求項９に記載の充電装置。
【請求項１１】
該報知手段は、該電池パックが満充電である状態を報知することを特徴とする請求項９又は１０に記載の充電装置。
【請求項１２】
ハウジングと、
該ハウジングの外面に設けられ、二次電池セルを収容する電池パックを第１方向にガイドする第１ガイド部と、
該ハウジングの外面に設けられ、該電池パックを電源として駆動する電気機器を該第１方向とは異なる第２方向にガイドする第２ガイド部と、を備えたことを特徴とする充電装置。
【請求項１３】
該第１方向は該電池パックを該第１ガイド部に接続する方向であり、
該第２方向は該電気機器を該第２ガイド部に接続する方向であり、
該第１方向と該第２方向は互いに近づく方向であることを特徴とする請求項１２に記載の充電装置。
【請求項１４】
該第１ガイド部及び該第２ガイド部は、該ハウジングの同一面に設けられていることを特徴とする請求項１２又は１３に記載の充電装置。
【発明の詳細な説明】
【技術分野】
【０００１】
本発明は充電装置に関し、特に電池パックを充電可能な充電装置に関する。
【背景技術】
【０００２】
従来より、二次電池を収容した電池パックが各種電気機器の電源として使用されており、当該電池パックを充電するための充電装置が広く用いられている。このような充電装置の中には、電池パック接続部に電気機器例えばファンを接続すれば充電装置で電気機器を使用することができるようにしたものがある。（特許文献１）。
【先行技術文献】
【特許文献】
【０００３】
【特許文献１】特開２０１２−２１７３２９号公報
【発明の概要】
【発明が解決しようとする課題】
【０００４】
しかしながら、上記した充電装置では電池パックの充電と電気機器の駆動とのどちらかを選択しなければならず、電池パックを充電しながら電気機器を使用することができなかった。
【０００５】
そこで本発明は、電池パックが充電中であっても電気機器を使用することができる充電装置を提供することを目的とする。
【課題を解決するための手段】
【０００６】
上記課題を解決するために本発明は、二次電池セルを収容する電池パックと接続可能な第１接続部と、該電池パックを電源として駆動する電気機器と接続可能な第２接続部と、該第１接続部と接続される該電池パックを充電可能且つ該第２接続部と接続される該電気機器に給電可能な電力供給回路部と、を備えることを特徴とする充電装置を提供する。
【０００７】
このような構成によると、充電装置の第２接続部が電気機器と接続可能に構成されており、電力供給回路部が電気機器に給電可能であるため、充電装置と電気機器とを接続することで電気機器を駆動することができる。これにより、電池パックの残容量が少ないために電池パックを電源として電気機器を駆動できない場合であっても電池パックの充電を待つことなく電気機器を駆動させることができ、利便性が向上する。
【０００８】
上記構成において、該第２接続部は、該電気機器に設けられ且つ該電池パックが接続される機器側接続部と接続されることが好ましい。
【０００９】
このような構成によると、電気機器に設けられた機器側接続部に第２接続部が接続可能であり、且つ機器側接続部は電池パックと接続可能である。このため、第２接続部と接続可能な接続部を電気機器に新たに設けることなく、充電装置に電気機器を接続することができる。
【００１０】
また、該第２接続部は、一対の出力端子を有し、該一対の出力端子の離間距離は、該電池パックが有する一対の放電端子の離間距離と略等しいことが好ましい。
【００１１】
このような構成によると、第２接続部の一対の出力端子の離間距離と電池パックの一対の放電端子の離間距離とが等しいため、第２接続部は当該一対の放電端子を有する電池パックと接続可能な機器側接続部と接続可能である。このため、第２接続部と接続可能な接続部を電気機器に新たに設けることなく、電気機器を充電装置に接続することができる。
【００１２】
また、該電力供給回路部は、該電池パックの充電中に該電気機器に給電可能であることが好ましい。
【００１３】
このような構成によると、電池パックの充電中であっても電気機器を駆動させることができる。このため、電池パックの充電が完了するまで待つことなく電気機器を使用することができ、利便性が向上する。
【００１４】
また、該電力供給回路部は、該電気機器への給電中に該電池パックを充電可能であることが好ましい。
【００１５】
このような構成によると、電気機器への給電中であっても電池パックを充電することができる。このため、電気機器への給電を中断することなく電池パックを充電することができ、利便性が向上する。
【００１６】
また、該電力供給回路部を収容するハウジングを備え、該第１接続部と該第２接続部とは、該ハウジングの同一の面に設けられていることが好ましい。
【００１７】
このような構成によると、第１接続部と第２接続部とはハウジングの同一の面に設けられているため、充電装置に電池パックを接続した後に充電装置と電気機器と接続する場合に、充電装置を傾けたり裏返しにしたりせずに充電装置と電気機器とを接続することができる。これにより、充電装置と電気機器との接続又は充電装置と電池パックとの接続が簡便且つ容易となる。
【００１８】
また、該電池パックを該第１接続部に向かう第１方向にガイドする第１ガイド部と、該電気機器を該第１方向において該第２接続部よりも下流側から該第２接続部に向けてガイドする第２ガイド部と、備え、該第２接続部は、該第１方向において該第１接続部よりも下流側に位置していることが好ましい。
【００１９】
このような構成によると、第１接続部に関して第２接続部の反対側から電池パックは第１接続部に接続され、第２接続部に関して第１接続部の反対側から電気機器は第２接続部に接続されるため、充電装置に電池パック及び電気機器を接続する際及び接続後に電池パックと電気機器とが干渉しない。
【００２０】
また、該電池パックを該第１接続部に向かう第１方向にガイドする第１ガイド部と、該電気機器を該第１方向において該第２接続部よりも下流側から該第２接続部に向けてガイドする第２ガイド部と、を備え、該第１接続部及び該第２接続部は、該第１方向に略直交する方向において並んで設けられていることが好ましい。
【００２１】
このような構成によると、電池パックを第１接続部に接続する方向と電気機器を第２接続部に接続する方向とが互いに異なり、且つ第１接続部及び該第２接続部は、該第１方向に直交する方向において並んで設けられているため、充電装置に電池パック及び電気機器を接続する際及び接続後に電池パックと電気機器とがより干渉しない。
【００２２】
また、該第２接続部に接続された該電気機器の機能を用いて該第１接続部に接続された該電池パックの状態を報知する報知手段を更に備えることが好ましい。
【００２３】
このような構成によると、電気機器の機能を用いて第１接続部に接続された電池パックの状態を報知することができる。このため、ユーザは電池パックの状態を知ることができ、より利便性が向上する。
【００２４】
また、該報知手段は、該電池パックの状態を報知するための報知信号を該電気機器に出力する信号出力手段を有することが好ましい。
【００２５】
このような構成によると、電気機器に報知信号が出力されるため、電気機器は電池パックの状態を報知すべきであることを認識することができる。
【００２６】
また、該報知手段は、該電池パックが満充電である状態を報知することが好ましい。
【００２７】
このような構成によると、電池パックの状態が満充電であることを報知することができるため、ユーザは電池パックの充電が完了したことを電気機器の機能により知ることができる。
【００２８】
上記課題を解決するために本発明は更に、ハウジングと、該ハウジングの外面に設けられ、二次電池セルを収容する電池パックを第１方向にガイドする第１ガイド部と、該ハウジングの外面に設けられ、該電池パックを電源として駆動する電気機器を該第１方向とは異なる第２方向にガイドする第２ガイド部と、を備えたことを特徴とする充電装置を提供する。
【００２９】
このような構成によると、電池パックは第１ガイド部によって第１方向にガイドされ、電気機器は第２ガイド部によって第２方向にガイドされる。このため、充電装置に電池パック及び電気機器を同時に接続する場合に、電池パックと電気機器とが干渉することがない。
【００３０】
上記構成において、該第１方向は該電池パックを該第１ガイド部に接続する方向であり、該第２方向は該電気機器を該第２ガイド部に接続する方向であり、該第１方向と該第２方向は互いに近づく方向であることが好ましい。
【００３１】
このような構成によると、電池パックと電気機器とが互いに近づく方向としている。そのため、電池パックと電気機器との接続方向を互いに干渉しないようにすることで、一方が接続された状態であっても他方を接続でき、利便性が向上する。
【００３２】
また、該第１ガイド部及び該第２ガイド部は、該ハウジングの同一面に設けられていることが好ましい。
【００３３】
このような構成によると、第１ガイド部と第２ガイド部とはハウジングの同一面に設けられているため、ハウジングの同一面において電池パック及び電気機器はガイドされる。このため、ユーザが電池パック及び電気機器を充電装置の第１ガイド部及び第２ガイド部に沿ってガイドさせることが簡便且つ容易となる。
【発明の効果】
【００３４】
本発明の充電装置によれば、電池パックの充電中であっても電気機器への給電が可能となり、利便性を向上させることができる。
【図面の簡単な説明】
【００３５】
【図１】本発明の第１の実施の形態による充電装置の外観を示す平面図である。
【図２】本発明の第１の実施の形態による充電装置と電池パックとが接続された状態を示す部分断面側面図である。
【図３】本発明の第１の実施の形態による充電装置に電池パック及びファンが接続された状態における部分断面側面図である。
【図４】本発明の第１の実施の形態による充電装置と電池パック及びファンとの接続を示した図である。
【図５】電池パックの電池側接続部とファンの機器側接続部との接続を示した図である。
【図６】本発明の第１の実施の形態による充電装置に電池パック及びファンが接続された状態における電気的接続を示した図である。
【図７】本発明の第１の実施の形態による充電装置における電池パックに対する充電制御を示すフローチャートである。
【図８】本発明の第１の実施の形態による充電装置におけるファンに対する給電制御を示すフローチャートである。
【図９】本発明の第１の実施の形態による充電装置に外部電源が接続されていない場合の制御を示すフローチャートである。
【図１０】本発明の第１の実施の形態による充電装置と電池パック及びラジオとが接続された状態における部分断面側面図である。
【図１１】本発明の第１の実施の形態による充電装置に電池パック及びラジオが接続された状態における電気的接続を示した図である。
【図１２】本発明の第２の実施の形態による充電装置の外観を示す平面図である。
【図１３】本発明の第３の実施の形態による充電装置に電池パック及びラジオが接続された状態における部分断面側面図である。
【発明を実施するための形態】
【００３６】
以下、本発明の実施の形態による充電装置について添付図面を参照して説明する。まず、本発明の第１の実施の形態による充電装置１、充電装置１により充電される電池パック６、充電装置１により給電されるファン７及びラジオ８について図１乃至図１１を参照しながら説明する。
【００３７】
図１乃至図４、図６に示されるように充電装置１は、ハウジング２と、電源回路３及びマイコン４が実装された充電回路基板５とにより主に構成されている。なお、前後左右を図１に示すように定義し、図１において紙面手前を上、紙面奥を下と定義する。
【００３８】
図１及び２に示されるようにハウジング２は、充電装置１の外郭をなす部分であり、例えば耐熱性樹脂により構成され、略直方体形状に形成されている。ハウジング２は、第１接続部２１と、第１レール部２２と、第２接続部２３と、第２レール部２４と、電源プラグコード２５とを備えている。またハウジング２には、上面２Ａが規定されている。
【００３９】
上面２Ａは、ハウジング２の上側の面（外面）であり、後上面２Ｂと、前上面２Ｃと、接続面２Ｄとにより構成されている。後上面２Ｂは、上面２Ａの後部に規定された面であって、前後方向において上面２Ａの略半分を占めており、図２に示されるように前方向に向かうに従って下方に傾斜している。前上面２Ｃは、上面２Ａの前部に規定された面であって、前後方向において上面２Ａの略半分を占めており、前方向に向かうに従って下方に傾斜している。接続面２Ｄは、後上面２Ｂの前端縁と前上面２Ｃの後端縁とを接続する面であり、上下方向に対して僅かに前方向に傾斜している。
【００４０】
図１に示されるように第１接続部２１は、電池パック６と接続される部分であって、後上面２Ｂにおいて左右方向に延びて設けられている。第１接続部２１の内部には右から順に充電制御端子２１Ａ、第１出力マイナス端子２１Ｂ、充電識別端子２１Ｃ、充電温度端子２１Ｄ、第１出力プラス端子２１Ｅが配置されている。図６に示されるように、第１出力マイナス端子２１Ｂ及び第１出力プラス端子２１Ｅは、ハウジング２内部において電源回路３に接続されている。また、充電制御端子２１Ａ、充電識別端子２１Ｃ及び充電温度端子２１Ｄは、ハウジング２内部においてマイコン４に接続されている。
【００４１】
図１に示されるように第１レール部２２は、電池パック６と第１接続部２１との接続をガイドする部分であり、電池パック６を第１接続部２１に向かう方向すなわち後から前に向かう方向にガイドする。また、第１レール部２２は、第１右レール２２Ａと第１左レール２２Ｂとにより構成されている。第１右レール２２Ａ及び第１左レール２２Ｂは、前後方向に延びるガイドレールであって、後上面２Ｂにおいて第１接続部２１を挟むように設けられている。第１レール部２２は、第１ガイド部として機能する。
【００４２】
第２接続部２３は、ファン７、ラジオ８等の電池パック６を電源とする電気機器と接続される部分であって、前上面２Ｃにおいて左右方向に延びて設けられている。また、第２接続部２３は、第１接続部２１の前方すなわち後から前に向かう方向において第１接続部２１の下流側に位置している。第２接続部２３の内部には右から第２出力プラス端子２３Ａ、第２出力マイナス端子２３Ｂ、給電制御端子２３Ｃが配置されている。図６に示されるように、第２出力プラス端子２３Ａ及び第２出力マイナス端子２３Ｂはハウジング２内部において電源回路３と接続されている。また給電制御端子２３Ｃは、ハウジング２内部においてマイコン４と接続されている。
【００４３】
第２レール部２４は、ファン７等の電気機器と第２接続部２３との接続をガイドする部分であり、電気機器を後から前に向かう方向において第２接続部２３よりも下流側から第２接続部２３に向けてガイドする。第２右レール２４Ａと第２左レール２４Ｂとにより構成されている。第２右レール２４Ａ及び第２左レール２４Ｂは、前後方向に延びるガイドレールであって、前上面２Ｃにおいて第２接続部２３を挟むように設けられている。第２レール部２４は、第２ガイド部として機能する。
【００４４】
電源プラグコード２５は、ハウジング２の後部左側から左方に延出しており、電源プラグコード２５の先端部は商用電源等の外部電源に接続可能に構成されている。また電源プラグコード２５は、ハウジング２の内部において充電回路基板５に実装された電源回路３と接続されており、電源プラグコード２５の先端部を外部電源に接続することで電源回路３に電力を供給することができる。
【００４５】
図２及び図６に示されるように充電回路基板５は、ハウジング２内部に配置されており、電源回路３及びマイコン４を主に備えている。電源回路３は、充電回路基板５上に実装されており、ＦＥＴ３Ａ、高周波トランス３Ｂ、ダイオード３Ｃ等を備えた回路であり、第１出力マイナス端子２１Ｂ、第１出力プラス端子２１Ｅ、第２出力プラス端子２３Ａ、第２出力マイナス端子２３Ｂ、マイコン４及び電源プラグコード２５と接続されている。電源回路３は、ＦＥＴ３Ａ、高周波トランス３Ｂ、ダイオード３Ｃ等により商用電源等の外部電源の交流電圧を整流平滑した直流電圧を第１出力マイナス端子２１Ｂ、第１出力プラス端子２１Ｅ、第２出力プラス端子２３Ａ及び第２出力マイナス端子２３Ｂから出力可能に構成されている。電源回路３は、電力供給回路部として機能する。
【００４６】
図６に示されるようにマイコン４は、充電回路基板５上に実装され、各種データ、処理プログラム等を記憶する記憶部と、演算部とにより主に構成されている。マイコン４は、電源回路３、充電制御端子２１Ａ、充電識別端子２１Ｃ、充電温度端子２１Ｄ及び給電制御端子２３Ｃと接続されており電源回路３及び充電装置１の外部から入力される各種信号を処理し、その結果に基づく各種信号を電源回路３に出力することで充電制御及び放電制御を行っている。またマイコン４は、給電制御端子２３Ｃに電池パック６が満充電になったことを報知するための報知信号を出力することができる。
【００４７】
次に充電装置１によって充電される電池パック６について説明する。図２、図４及び図６に示されるように電池パック６は、電池ケース６１と、電池組６２と、制御センサ部６３とにより主に構成されている。電池ケース６１は、電池パック６の外郭をなす部分であり、略直方体形状に形成されている。電池ケース６１の底面には電池側接続部６４と電池側レール部（不図示）とが設けられている。
【００４８】
電池側接続部６４は、充電装置１の第１接続部２１と接続される部分であり、充電装置１の第２接続部２３と略同一の形状及び寸法に構成されている。図４に示されるように電池側接続部６４には、右から順に電池制御端子６４Ａ、充放電マイナス端子６４Ｂ、電池識別端子６４Ｃ、電池温度端子６４Ｄ、放電プラス端子６４Ｅ、充電プラス端子６４Ｆが配置されている。すなわち電池側接続部６４と第２接続部２３とは、略同一の形状及び寸法であるが内部の端子の数のみ異なる。また、図４に示されるように、第２接続部２３の第２出力プラス端子２３Ａと第２出力マイナス端子２３Ｂとの離間距離Ｌ１は、電池側接続部６４の放電プラス端子６４Ｅと充放電マイナス端子６４Ｂとの離間距離Ｌ２と略等しく構成されている。第２出力プラス端子２３Ａ及び第２出力マイナス端子２３Ｂは一対の出力端子の一例であり、放電プラス端子６４Ｅ及び充放電マイナス端子６４Ｂは一対の放電端子の一例である。
【００４９】
電池側レール部は、充電装置１の第２レール部２４の第２右レール２４Ａ及び第２左レール２４Ｂと略同一の形状をなす２本のガイドレールから構成され、当該２本のガイドレールは電池側接続部６４の左右方向における両側にそれぞれ設けられている。また、電池側接続部６４と当該２本のガイドレールとの位置関係は、第２接続部２３と第２右レール２４Ａ及び第２左レール２４Ｂとの位置関係と略同一である。さらに電池側レール部は、第１レール部２２に嵌合した状態で前後方向に摺動可能であり、電池側レール部を第１レール部２２に嵌合させ、電池パック６を充電装置１に対して図４に示される矢印Ａの方向（後から前に向かう方向）にスライドさせることで電池パック６の電池側接続部６４と充電装置１の第１接続部２１とが接続され、電池パック６と充電装置１とは接続される。矢印Ａの方向（後から前に向かう方向）は第１方向の一例である。
【００５０】
図４及び図６に示されるように、電池側接続部６４と第１接続部２１とが接続された状態（電池パック６と充電装置１とが接続された状態）において、充電制御端子２１Ａと電池制御端子６４Ａとが接続され、第１出力マイナス端子２１Ｂと充放電マイナス端子６４Ｂとが接続され、充電識別端子２１Ｃと電池識別端子６４Ｃとが接続され、充電温度端子２１Ｄと電池温度端子６４Ｄとが接続され、第１出力プラス端子２１Ｅと充電プラス端子６４Ｆとが接続される。
【００５１】
図６に示されるように電池組６２は、電池セル６２Ａを５セル直列に接続して構成されている。電池組６２の中で最も電位の高い電池セル６２Ａのプラス端子は、放電プラス端子６４Ｅ及び充電プラス端子６４Ｆに接続されている。また電池組６２の中で最も電位の低い電池セル６２Ａのマイナス端子は充放電マイナス端子６４Ｂに接続されている。電池セル６２Ａは二次電池セルの一例である。
【００５２】
制御センサ部６３は、電流検出回路（不図示）、識別抵抗（不図示）、温度検出回路（不図示）及び保護ＩＣ（不図示）を備えている。電流検出回路は、シャント抵抗等からなる電池組６２を流れる電流を監視する回路であり、保護ＩＣと接続されている。識別抵抗は、電池組６２の電池セル６２Ａの接続数等を示す固有の抵抗値を持った抵抗であり、電池識別端子６４Ｃに接続されている。温度検出回路は、サーミスタ等からなる電池組６２の温度を検出する回路であり、電池温度端子６４Ｄに接続されている。温度検出回路によって検出された電池組６２の温度は温度情報として電池温度端子６４Ｄから出力される。
【００５３】
保護ＩＣは、電池制御端子６４Ａと接続されており、個々の電池セル６２Ａの電圧を監視し、その中の一つでも過充電や過放電により、通常状態ではない状態になった場合に、充電や放電を停止させるための停止信号を電池制御端子６４Ａから出力する。また保護ＩＣは、電流検出回路により検出された電池組６２を流れる電流が許容範囲を超えた場合に、過電流であると判断して充電や放電を停止させるための停止信号を電池制御端子６４Ａから出力する。
【００５４】
次に電池パック６を電源として駆動するファン７について説明する。図３、図４及び図６に示されるようにファン７は、送風部７１と、回動接続部７２と、基台部７３とにより主に構成されている。送風部７１は、カバー部７１Ａと、モータ（不図示）と、羽根部（不図示）とを備えている。カバー部７１Ａは、前後方向から見て略円形状に形成された送風部の外郭をなす部分であり、回動接続部７２に固定されている。モータは、カバー部７１Ａの前後方向視略中央に配置されており、回転軸（不図示）を備えている。回転軸は、カバー部７１Ａの軸心方向に延びる軸である。また回転軸は、カバー部７１Ａの軸心と略一致する位置に設けられている。羽根部は、複数の羽根を有しており、当該複数の羽根は回転軸の半径方向外周に一定間隔をおいて固定されており、モータが駆動して回転軸が回転することにより後から前に向かう方向、或いは前から後ろに向かう方向に流れる風を発生させる。ファン７は電気機器の一例である。
【００５５】
回動接続部７２は、基台部７３に対して所定角度範囲において回動可能に取り付けられており、駆動スイッチ（不図示）を備えている。
【００５６】
基台部７３は、前後方向に延びるファン７の基部となる部分である。基台部７３の後部には、後方に開口する嵌合穴７３ａが形成されている。また基台部７３内部には、図６に示されるように、駆動部７４と、制御部７５とが収容されている。
【００５７】
嵌合穴７３ａは、充電装置１の略前側半分が嵌合するように形成されている。また嵌合穴７３ａの内壁の上部には、機器側接続部７６と、機器側レール部（不図示）が設けられている。
【００５８】
機器側接続部７６は、充電装置１の第２接続部２３と接続される部分であり、充電装置１の第１接続部２１と略同一の形状及び寸法に構成されている。図４に示されるように機器側接続部７６には、右から順に入力プラス端子７６Ａ、入力マイナス端子７６Ｂ、機器制御端子７６Ｃが配置されている。すなわち機器側接続部７６と第１接続部２１とは、略同一の形状及び寸法であるが内部の端子の数のみ異なる。
【００５９】
機器側レール部は、充電装置１の第１レール部２２の第１右レール２２Ａ及び第１左レール２２Ｂと略同一の形状をなす２本のガイドレールから構成され、当該２本のガイドレールは機器側接続部７６の左右方向における両側にそれぞれ設けられている。また、機器側接続部７６と当該２本のガイドレールとの位置関係は、第１接続部２１と第１右レール２２Ａ及び第１左レール２２Ｂとの位置関係と略同一である。さらに機器側レール部は、第２レール部２４に嵌合した状態で前後方向に摺動可能であり、機器側レール部を第２レール部２４に嵌合させ、ファン７を充電装置１に対して図４に示される矢印Ｂの方向すなわち前から後ろに向かう方向にスライドさせることでファン７の機器側接続部７６と充電装置１の第２接続部２３とが接続され、ファン７と充電装置１とは接続される（図３の状態となる）。矢印Ｂの方向（前から後に向かう方向）は第２方向の一例である。
【００６０】
図４及び図６に示されるように、機器側接続部７６と第２接続部２３とが接続された状態（ファン７と充電装置１とが接続された状態）において、第２出力プラス端子２３Ａと入力プラス端子７６Ａとが接続され、第２出力マイナス端子２３Ｂと入力マイナス端子７６Ｂとが接続され、給電制御端子２３Ｃと機器制御端子７６Ｃとが接続される。また、機器側接続部７６と第２接続部２３とが接続された状態（ファン７と充電装置１とが接続された状態）且つ電池側接続部６４と第１接続部２１とが接続された状態（電池パック６と充電装置１とが接続された状態）である場合は、電池パック６の充放電マイナス端子６４Ｂと入力マイナス端子７６Ｂとが第１出力マイナス端子２１Ｂ及び第２出力マイナス端子２３Ｂを介して接続され、電池パック６の充電プラス端子６４Ｆと入力プラス端子７６Ａとが第１出力プラス端子２１Ｅ及び第２出力プラス端子２３Ａを介して接続され、機器制御端子７６Ｃと電池制御端子６４Ａとが充電制御端子２１Ａ及び給電制御端子２３Ｃを介して接続される。
【００６１】
図３に示されるように、充電装置１に電池パック６及びファン７が接続された状態において電池パック６とファン７とは干渉しないように、充電装置１の第１接続部２１と第２接続部２３との離間距離、充電装置１と電池パック６との接続方向（矢印Ａの方向）、充電装置１とファン７との接続方向（矢印Ｂの方向）が定められている。すなわち、第１接続部２１への電池パック６の接続方向と第２接続部２３へのファン７の接続方向を異なる方向とした。具体的には、電池パック６の接続方向（第１方向）に対してファン７の接続方向（第２方向）を逆方向としている。電池パック６とファン７が互いに近づく方向としている。例えば、電池パック６とファン７を矢印Ｂの方向に接続する場合、ファン７を接続した状態ではファン７が邪魔になり電池パック６を接続することができない。そのため、本発明によれば電池パック６とファン７の接続方向を互いに干渉しないようにすることで、一方が接続された状態であっても他方を接続できるように構成し、使い勝手を良くしている。
【００６２】
駆動部７４は、モータに電力を供給する回路部であり、入力プラス端子７６Ａ及び入力マイナス端子７６Ｂと接続されている。制御部７５は、駆動部７４に接続されており、電流検出回路（不図示）と、機器側マイコン（不図示）とを備えている。電流検出回路は、モータに流れる電流を検出する回路であり、シャント抵抗等から構成されている。また電流検出回路は、機器側マイコンに接続されている。なお、駆動スイッチをＯＮさせることで駆動部７４によるモータへの電力供給を許容した状態となり、ファン７は駆動を開始（モータが駆動を開始）する。一方、駆動スイッチをＯＦＦさせることで駆動部７４によるモータへの電力供給を遮断した状態となり、ファン７は駆動を停止（モータが駆動を停止）する。
【００６３】
機器側マイコンは、各種データ、処理プログラム等を記憶する記憶部と、演算部とにより主に構成されており、機器制御端子７６Ｃと接続されている。機器側マイコンは、駆動部７４の制御可能に構成されており、駆動部７４による放電（モータへの電力供給）を制御している。また機器側マイコンは、電流検出回路により検出されたモータに流れる電流が許容範囲を超えた場合に、過電流であると判断して機器制御端子７６Ｃにファン７への給電を停止させるための停止信号を出力するとともに駆動部７４によるモータへの電力供給を遮断する。さらに、機器側マイコンは機器制御端子７６Ｃを介して入力された信号に基づいてモータへの電力供給量を制御可能に構成されている。
【００６４】
ここで電池パック６とファン７との接続について説明する。図５に示されるように、電池パック６の電池側接続部６４とファン７の機器側接続部７６とは接続可能に構成されておる。電池側レール部を機器側レール部に嵌合させ、電池パック６をファン７に対して図５に示される矢印Ｃの方向にスライドさせることで電池パック６の電池側接続部６４とファン７の機器側接続部７６とが接続され電池パック６とファン７とは接続される。
【００６５】
電池側接続部６４と機器側接続部７６とが接続された状態（電池パック６とファン７とが接続された状態）において、電池制御端子６４Ａと機器制御端子７６Ｃとが接続され、充放電マイナス端子６４Ｂと入力マイナス端子７６Ｂとが接続され、放電プラス端子６４Ｅと入力プラス端子７６Ａとが接続される。このように各端子が接続されるため、ファン７は電池パック６を電源として駆動することができる。
【００６６】
次に、図７に基づいて充電装置１による電池パック６の充電制御について説明する。図７に示されるフローチャートは、充電装置１の電源プラグコード２５が外部電源に接続されており、且つ充電装置１に電池パック６が接続されている場合の充電制御を示している。この場合の充電制御は、マイコン４によって行われる。なお、以下の説明において充電装置１にファン７が接続されていない場合を基本として説明するが、充電装置１にファン７が接続されており、ファン７が駆動している場合を併せて説明する。
【００６７】
Ｓ１において充電装置１に電池パック６が装着（接続）されると、Ｓ２で電池パック６が温度異常であるか否かを判断する。温度異常であるか否かの判断は、電池温度端子６４Ｄからの温度情報によって判断する。温度異常であると判断した場合（Ｓ２のＹｅｓ）、温度異常でないと判断するまでＳ２を繰り返す。この場合、ファン７への給電が行われているときは、電池パック６が高温であれば、風が前から後に流れるように、すなわち電池パック６を冷却するようにファン７の回転方向を制御してもよい。また電池パック６が低温の場合にはファン７への給電を停止する。ファン７への給電の停止は、電源回路３による電圧出力を停止することで行われる。
【００６８】
一方、温度異常でないと判断した場合（Ｓ２のＮｏ）、Ｓ３において電池パック６の充電が開始される。電池パック６の充電は、第１出力マイナス端子２１Ｂと第１出力プラス端子２１Ｅとの間に電源回路３から出力された電圧が印加されることで行われる。この場合においてファン７への給電が行われているときは、継続してファン７への給電が継続される（ファン７への給電と電池パック６の充電を同時に行う）。
【００６９】
充電が開始されると、Ｓ４において停止信号があるか否かを判断する。停止信号があるか否かの判断は、電池制御端子６４Ａから停止信号がマイコン４に出力されているか否かで判断する。停止信号があると判断した場合（Ｓ４のＹｅｓ）、充電を停止する（Ｓ７）。この場合、ファン７に給電が行われているときは、そのまま給電を継続してもよいし、ファン７への給電を停止してもよい。なお、充電の停止及びファン７への給電の停止は、電源回路３による電圧出力を停止することで行われる。一方、停止信号が出力されていないと判断した場合（Ｓ４のＮｏ）、Ｓ５において温度異常であるか否かを判断する。
【００７０】
温度異常であると判断した場合（Ｓ５のＹｅｓ）、充電を停止する（Ｓ７）。この場合、ファン７に給電が行われファン７が駆動しているときは、そのまま給電を継続してもよいし、ファン７への給電を停止してもよい。或いは、ファン７の回転方向を切り替えて風が電池パック６に当たるようにして電池パック６を冷却するようにしてもよい。一方、温度異常でないと判断した場合（Ｓ５のＮｏ）、Ｓ６において電池パック６が満充電であるか否かを判断する。満充電であるか否かの判断は、マイコン４が所定の条件を考慮して行われる。
【００７１】
満充電でないと判断した場合（Ｓ６のＮｏ）、Ｓ４乃至Ｓ６を繰り返しながら電池パック６の充電が継続される。この場合においてファン７への給電が行われているときは、ファン７への給電と電池パック６の充電が並行して行われる。
【００７２】
一方、満充電であると判断した場合（Ｓ６のＹｅｓ）、充電を停止する。この場合においてファン７に給電が行われファン７が駆動しているときは、マイコン４から給電制御端子２３Ｃ及び機器制御端子７６Ｃを介して制御部７５に報知信号を出力する。マイコン４から報知信号が制御部７５に出力されると、制御部７５はファン７のモータの回転数を上昇させる。モータの回転数を上昇させることで、モータの回転音、羽根の回転音が大きくなり、同時に風速が高くなるため、ユーザは電池パック６が満充電となり充電が完了したことを知ることができる。その後、電源回路３からの電圧出力を停止させて、電池パック６の充電及びファン７への給電を停止する。マイコン４は、報知手段及び信号出力手段として機能する。
【００７３】
次に、図８に基づいて充電装置１によるファン７への給電制御について説明する。図８に示されるフローチャートは、充電装置１の電源プラグコード２５が外部電源に接続されている場合の給電制御を示している。この場合の給電制御は、原則としてマイコン４によって行われる。なお、以下の説明において充電装置１に電池パック６が接続されていない場合を基本として説明するが、充電装置１に電池パック６が接続されており、電池パック６の充電が行われている場合を併せて説明する。
【００７４】
Ｓ１１において充電装置１にファン７が装着（接続）されると、Ｓ２で駆動スイッチがＯＮであるか否かを判断する。駆動スイッチがＯＮであるか否かの判断は、機器制御端子７６ＣからのスイッチＯＮ信号があるか否かで判断する。駆動スイッチがＯＮでないと判断した場合（Ｓ１２のＮＯ）、駆動スイッチがＯＮであると判断するまでＳ１２を繰り返す。この間、電源回路３から電圧を出力させない。この場合において電池パック６の充電が行われているときは、電源回路３からは電圧が出力されており、駆動部７４には入力プラス端子７６Ａ及び入力マイナス端子７６Ｂを介して電圧が出力されているが、駆動スイッチがＯＦＦであるため、駆動部７４によるモータへの電力供給は遮断された状態である。
【００７５】
一方、駆動スイッチがＯＮであると判断した場合（Ｓ１２のＹｅｓ）、Ｓ１３において給電が開始され、駆動部７４によるモータへの電力供給が行われファン７は駆動を開始する。給電は電源回路３から電圧を出力させることで行う。この場合において電池パック６の充電が行われているときは、電源回路３からは既に電圧が出力されているため、駆動スイッチがＯＮされたことで駆動部７４によるモータへの電力供給が許容された状態となり、ファン７が駆動を開始する（電池パック６の充電とファン７への給電とが同時に行われる）。
【００７６】
ファン７の駆動が開始された後は、Ｓ１４において過電流信号があるか否かを判断する。過電流信号があるか否かは、機器制御端子７６Ｃから停止信号がマイコン４に出力されたか否かで判断する。
【００７７】
過電流であると判断した場合（Ｓ１４のＹｅｓ）、Ｓ１６においてファン７への給電を停止する。給電の停止は、電源回路３からの電圧出力を停止させることで行われる。また、同時にファン７の制御部７５の機器側マイコンは、駆動部７４への電力供給を遮断した状態とする。この場合において電池パック６の充電が行われているときは、電池パック６の充電を優先させるため、ファン７への給電は停止せず（電源回路３からの電圧出力を停止せず）、制御部７５の機器側マイコンによる駆動部７４への電力供給の遮断のみに留めて、ファン７の駆動は停止させるが電池パック６の充電は継続させる。
【００７８】
一方、過電流でないと判断した場合（Ｓ１４のＮｏ）、Ｓ１５において駆動スイッチがＯＦＦであるか否かを判断する。
【００７９】
駆動スイッチがＯＦＦであると判断した場合（Ｓ１５のＹｅｓ）、Ｓ１６においてファン７への給電を停止する。この場合において電池パック６の充電が行われているときは、電池パック６の充電を優先させるため、ファン７への給電は停止せず（電源回路３からの電圧出力を停止せず）、駆動スイッチのＯＦＦによる駆動部７４によるモータへの電力供給の遮断のみに留めて、ファン７の駆動は停止させるが電池パック６の充電は継続させる。
【００８０】
一方、駆動スイッチがＯＦＦでないと判断した場合（Ｓ１５のＮｏ）、Ｓ１４及びＳ１５を繰り返しながらファン７の駆動が継続される。この場合において電池パック６の充電が行われているときは、ファン７への給電と電池パック６の充電が並行して行われる。
【００８１】
なお、Ｓ１６において駆動停止又は給電停止となった場合には、上述したＳ１２以降の制御を繰り返す。
【００８２】
次に、図９に基づいて充電装置１に電池パック６及びファン７が接続された状態で、充電装置１の電源プラグコード２５が外部電源に接続されていない場合の制御を説明する。この場合の制御は、制御部７５（機器側マイコン）によって行われる。
【００８３】
Ｓ２１において、充電装置１に電池パック６が接続された状態から更に充電装置１にファン７が接続されると、電池パック６の充放電マイナス端子６４Ｂ及び充電プラス端子６４Ｆから第１出力マイナス端子２１Ｂ及び第１出力プラス端子２１Ｅ、第２出力プラス端子２３Ａ及び第２出力マイナス端子２３Ｂ、入力プラス端子７６Ａ及び入力マイナス端子７６Ｂを介して駆動部７４に電圧が出力されている状態となる。
【００８４】
次に、Ｓ２２において停止信号があるか否かを判断する。停止信号があるか否かは、制御センサ部６３から制御部７５に停止信号が出力されたか否かで判断する。制御センサ部６３から制御部７５への停止信号の出力は、電池制御端子６４Ａ、充電制御端子２１Ａ、給電制御端子２３Ｃ及び機器制御端子７６Ｃを介して行われる。この場合の停止信号は、電池組６２の過放電による停止信号である場合である。
【００８５】
停止信号があると判断した場合（Ｓ２２のＹｅｓ）、停止信号がないと判断するまでＳ２２を繰り返す。この間、ファン７は駆動を開始しない。例えば、充電装置１に接続する電池パック６を残存容量が残っている電池パックに交換するまでファン７を駆動しない。一方、停止信号がないと判断した場合（Ｓ２２のＮｏ）、Ｓ２３において駆動スイッチがＯＮであるか否かを判断する。駆動スイッチがＯＮでないと判断した場合（Ｓ２３のＮｏ）、駆動スイッチがＯＮであると判断するまでＳ２２及びＳ２３を繰り返す。この間、ファン７は駆動を開始しない。一方、駆動スイッチがＯＮであると判断した場合（Ｓ２３のＹｅｓ）、Ｓ２４においてファン７の駆動が開始される。この場合、ファン７は電池パック６を電源として駆動する。
【００８６】
ファン７が駆動を開始した後は、Ｓ２５において異常状態であるか否かを判断する。異常状態であるか否かは、ファン７が過電流である場合又は電池パック６の制御センサ部６３からの停止信号がある場合に異常状態であると判断する。
【００８７】
異常状態であると判断した場合（Ｓ２５のＹｅｓ）、制御部７５は駆動部７４への電力供給を遮断して、ファン７の駆動を停止させる（Ｓ２７）。一方、異常状態でないと判断した場合（Ｓ２５のＮｏ）、Ｓ２６において駆動スイッチがＯＦＦであるか否かを判断する。
【００８８】
駆動スイッチがＯＦＦであると判断した場合（Ｓ２６のＹｅｓ）、駆動スイッチのＯＦＦによって駆動部７４によるモータへの電力供給が遮断され、ファン７の駆動は停止する（Ｓ２７）。一方、駆動スイッチがＯＦＦでないと判断した場合（Ｓ２６のＮｏ）、Ｓ２５及びＳ２６を繰り返しながら、ファン７の駆動が継続される。なお、Ｓ２７においてファン７の駆動が停止した場合は、上述したＳ２２以降の制御を繰り返す。
【００８９】
次に、図１０及び図１１に基づいて充電装置１により給電されるラジオ８について説明する。ラジオ８は、スマートフォン等の携帯機器を収容可能な収容部８１Ｆを備え、当該携帯機器等に記憶された音声、音楽等をスピーカ８２から出力可能なラジオである。ラジオ８は電気機器の一例である。
【００９０】
ラジオ８は、筺体８１と、スピーカ８２と、突出接続部８３とを主に備えている。筺体８１は、ラジオ８の外郭をなす部分であり、上下方向に延びる略直方体形状に構成されている。筺体８１は、ガイドバー８１Ａと、ハンドル部８１Ｂと、開閉蓋８１Ｃとを主に備え、その内部には電池収容空間８１ａが形成され、第１基板部８１Ｄと、第２基板部８１Ｅとが収容されている。
【００９１】
ガイドバー８１Ａは、筺体８１の前面の右端部及び左端部のそれぞれに上下方向に延びて設けられている。ハンドル部８１Ｂは、筺体８１の上部に回動可能に設けられており、収容部８１Ｆを備えている。収容部８１Ｆは、ハンドル部８１Ｂに形成された携帯機器を収容可能な部分であり、ハンドル部８１Ｂと一体に回動可能である。収容部８１Ｆ内に携帯機器を収容した状態で、携帯機器の充電を行うことができ、また携帯機器に記憶された音楽等をスピーカ８２から出力可能である。
【００９２】
開閉蓋８１Ｃは、筺体８１の後部に設けられた開閉可能な蓋であり、閉状態において後述の電池収容空間８１ａと外部とを遮断する。また開状態において電池パック６の出し入れを行うことができる。
【００９３】
電池収容空間８１ａは、ハウジング内部に画成された空間であり電池パック６を収容可能である。第１基板部８１Ｄは、ハンドル部８１Ｂの下方に配置されており、携帯機器の充電等の制御を行う制御回路を備えている。
【００９４】
第２基板部８１Ｅは、筺体８１の前部上側に配置されており、音声出力回路部８１Ｇと、制御部８１Ｈとを備えている。図１１に示されるように音声出力回路部８１Ｇは制御部８１Ｈと接続されており、制御部８１Ｈにより制御される。制御部８１Ｈは、ラジオ側マイコン（不図示）を備えている。
【００９５】
ラジオ側マイコンは、各種データ、処理プログラム等を記憶する記憶部と、演算部とにより主に構成されており、ラジオ側マイコンは外部から入力された信号に基づいて音声出力回路部８１Ｇへの電力供給量を制御可能に構成されている。
【００９６】
スピーカ８２は、筺体８１の前部下側に設けられており、音声出力回路部８１Ｇと接続されている。スピーカ８２から出力される音声は、制御部８１Ｈによって制御されている。
【００９７】
突出接続部８３は、スピーカ８２の後部から後方に突出した部分であり、第１ラジオ側接続部８３Ａと、第２ラジオ側接続部８３Ｂと、ラジオ側レール部（不図示）とを備えている。また突出接続部８３の後部には後方に開口する嵌合穴８３ａが形成されている。第１ラジオ側接続部８３Ａは、突出接続部８３の上面であって電池収容空間８１ａ内に設けられており、電池パック６と接続可能に構成されている。
【００９８】
第２ラジオ側接続部８３Ｂ及びラジオ側レール部は、嵌合穴８３ａの内壁の上部に設けられている。また第２ラジオ側接続部８３Ｂは、入力プラス端子８４Ａ、入力マイナス端子８４Ｂ及びラジオ側制御端子８４Ｃを備えている。第２ラジオ側接続部８３Ｂ及びラジオ側レール部の構成及び充電装置１との接続関係は、機器側接続部７６及び機器側レール部と同様の構成であるため、説明を省略する。
【００９９】
ラジオ８と充電装置１とが接続された場合、図１１に示されるように第２出力プラス端子２３Ａと入力プラス端子８４Ａとが接続され、第２出力マイナス端子２３Ｂと入力マイナス端子８４Ｂとが接続され、給電制御端子２３Ｃとラジオ側制御端子８４Ｃとが接続される。
【０１００】
また、充電装置１に電池パック６及びラジオ８が接続された状態で電池パック６が満充電になった場合は、マイコン４から満充電であることを示す報知信号がラジオ８の制御部８１Ｈに出力されることで、制御部８１Ｈはスピーカ８２から出力されている音量を大きくする制御を行う。これにより、ユーザは電池パック６が満充電になり充電が完了したことを知ることができる。なお、充電完了を音声で報知するようにしてもよい。
【０１０１】
上述したように、本発明の第１の実施の形態による充電装置１においては、電池パック６と接続可能な第１接続部２１と、電池パック６を電源として駆動する電気機器（ファン７、ラジオ８等）と接続可能な第２接続部２３と、第１接続部２１と接続される電池パック６を充電可能且つ第２接続部２３と接続される電気機器に給電可能な電源回路３とを備えているため、充電装置１と電気機器とを接続することで電気機器を駆動することができる。これにより、電池パック６の残容量が少ないために電池パック６を電源として電気機器を駆動できない場合であっても電池パック６の充電を待つことなく電気機器を駆動させることができ、利便性が向上する。
【０１０２】
また、第２接続部２３は、電気機器に設けられ且つ電池パック６が接続される機器側接続部７６と接続されるため、電気機器に設けられた機器側接続部７６に第２接続部２３が接続可能であり、且つ機器側接続部７６は電池パック６と接続可能である。このため、第２接続部２３と接続可能な接続部を電気機器に新たに設けることなく、充電装置１に電気機器を接続することができる。
【０１０３】
また、第２接続部２３は、第２出力プラス端子２３Ａと第２出力マイナス端子２３Ｂとの離間距離は、電池パック６が有する放電プラス端子６４Ｅと充放電マイナス端子６４Ｂとの離間距離と等しいため、第２接続部２３は電池パック６と接続可能な機器側接続部７６と接続可能である。このため、第２接続部２３と接続可能な接続部を電気機器に新たに設けることなく、電気機器を充電装置１に接続することができる。
【０１０４】
また、電源回路３は、電池パック６の充電中に電気機器に給電可能であるため、電池パック６の充電中であっても電気機器を駆動させることができる。このため、電池パック６の充電が完了するまで待つことなく電気機器を使用することができ、利便性が向上する。
【０１０５】
また、電源回路３は、電気機器への給電中に電池パックを充電可能であるため、電気機器への給電中であっても電池パック６を充電することができる。このため、電気機器への給電を中断することなく電池パック６を充電することができ、利便性が向上する。
【０１０６】
また、電源回路３を収容するハウジング２を備え、第１接続部２１と第２接続部２３とは、ハウジングの上面２Ａに設けられているため、すなわち第１接続部２１と第２接続部２３とは、同一面に設けられているため、充電装置１に電池パック６を接続した後に充電装置１と電気機器と接続する場合に、充電装置１を傾けたり裏返しにしたりせずに充電装置１と電気機器とを接続することができる。これにより、充電装置１と電気機器との接続又は充電装置１と電池パック６との接続が簡便且つ容易となる。
【０１０７】
また、電池パック６を第１接続部２１に向かう矢印Ａの方向（後から前に向かう方向）にガイドする第１レール部２２と、電気機器を矢印Ａの方向において第２接続部２３よりも下流側から第２接続部２３に向けてガイドする第２レール部２４と、を備え、第２接続部２３は、矢印Ａの方向において第１接続部２１よりも下流側に位置している。このため、第１接続部２１に関して第２接続部２３の反対側から電池パック６は第１接続部２１に接続され、第２接続部２３に関して第１接続部２１の反対側から電気機器は第２接続部２３に接続される。これにより、充電装置１に電池パック６及び電気機器を接続する際及び接続後に電池パック６と電気機器とが干渉しない。
【０１０８】
第２接続部２３に接続された電気機器の機能を用いて第１接続部２１に接続された電池パック６の状態を報知するマイコン４を備えるため、ユーザは電池パック６の状態を知ることができ、より利便性が向上する。
【０１０９】
マイコン４は、電池パック６の状態を報知するための報知信号を電気機器に出力することができるため、電気機器は電池パック６の状態を報知すべきであることを認識することができる。
【０１１０】
マイコン４は、電池パック６が満充電である状態を報知するため、ユーザは電池パック６の充電が完了したことを電気機器の機能により知ることができる。
【０１１１】
次に、図１２に基づいて本発明の第２の実施の形態による充電装置２００について説明する。基本的な構成及び制御方法は、第１の実施の形態の充電装置１と同様である。以下の説明において、上述した第１の実施の形態による充電装置１の構成要素と同じ部材や要素は同じ参照番号を付して説明を省略し、相違する構成、要素等について説明する。
【０１１２】
図１２に示されるように充電装置２００は、ハウジング２０２を備えている。ハウジング２０２は、充電装置２００の外郭をなす部分であり、例えば耐熱性樹脂により構成され、略直方体形状に形成されている。またハウジング２０２は、第１接続部２２１と、第１レール部２２２と、第２接続部２２３と、第２レール部２２４と、電源プラグコード２２５とを備えている。またハウジング２０２には、上面２０２Ａが規定されている。なお、充電装置２００における第１接続部２２１、第１レール部２２２、第２接続部２２３及び第２レール部２２４の形状は、それぞれ第１接続部２１、第１レール部２２、第２接続部２３及び第２レール部２４の形状と同一であるが、配置のみが異なる。
【０１１３】
上面２０２Ａは、ハウジング２０２の上側の面であり、後上面２０２Ｂと、前上面２０２Ｃとより構成されている。後上面２０２Ｂは、上面２０２Ａの後部に規定された面であって、前後方向において上面２０２Ａの後側略半分を占めている。前上面２０２Ｃは、上面２０２Ａの前部に規定された面であって、前後方向において上面２０２Ａの前側略半分を占めている。
【０１１４】
第１接続部２２１は、電池パック６と接続される部分であって、後上面２０２Ｂにおいて前後方向に延びて設けられている。第１接続部２２１の内部には前から順に充電制御端子２１Ａ、第１出力マイナス端子２１Ｂ、充電識別端子２１Ｃ、充電温度端子２１Ｄ、第１出力プラス端子２１Ｅが配置されている。
【０１１５】
第１レール部２２２は、電池パック６と第１接続部２２１との接続をガイドする部分であり、電池パック６を第１接続部２２１に向かう矢印Ｄの方向すなわち右から左に向かう方向にガイドする。また、第１レール部２２２は、第１前レール２２２Ａと第１後レール２２２Ｂとにより構成されている。第１前レール２２２Ａ及び第１後レール２２２Ｂは、左右方向に延びるガイドレールであって、後上面２Ｂに前後方向において第１接続部２２１を挟むように設けられている。
【０１１６】
第２接続部２２３は、ファン７、ラジオ８等の電池パック６を電源とする電気機器と接続される部分であって、前上面２０２Ｃにおいて上下方向に延びて設けられている。また、第１接続部２２１及び第２接続部２２３は、矢印Ｄの方向に略直交する方向すなわち前後方向において並んで設けられている。第２接続部２２３の内部には前から第２出力プラス端子２３Ａ、第２出力マイナス端子２３Ｂ、給電制御端子２３Ｃが配置されている。
【０１１７】
第２レール部２２４は、ファン７、ラジオ８等の電気機器と第２接続部２２３との接続をガイドする部分であり、電気機器を矢印Ｄの方向において第２接続部２２３よりも下流側から第２接続部２２３に向けてガイドする。第２前レール２２４Ａと第２後レール２２４Ｂとにより構成されている。第２前レール２２４Ａ及び第２後レール２２４Ｂは、左右方向に延びるガイドレールであって、前上面２０２Ｃに前後方向において第２接続部２２３を挟むように設けられている。
【０１１８】
電源プラグコード２２５は、ハウジング２０２の前部右側から前方に延出しており、その先端部は商用電源等の外部電源に接続可能に構成されている。
【０１１９】
充電装置２００と電池パック６との接続は、充電装置２００に対して電池パック６を矢印Ｄの方向にスライドさせることで行われる。充電装置２００と電気機器（ファン７、ラジオ８等）との接続は、充電装置２００に対して電気機器を図１２に示される矢印Ｅの方向すなわち左から右に向かう方向にスライドさせることで行われる。矢印Ｄの方向（右から左に向かう方向）は第１方向の一例であり、矢印Ｅの方向（左から右に向かう方向）は第２方向の一例である。
【０１２０】
このように、本発明の第２の実施の形態によれば充電装置２００に電池パック６及び電気機器（ファン７、ラジオ８等）が接続された場合、左右方向おいて小型化することができる。このため、左右方向に狭い場所等で使用することができ、利便性が向上する。
【０１２１】
また、電池パック６を第１接続部２２１に向かう矢印Ｄの方向にガイドする第１レール部２２２と、電気機器を矢印Ｄの方向において第２接続部２２３よりも下流側から第２接続部２２３に向けてガイドする第２レール部２２４と、を備え、第１接続部２２１及び第２接続部２２３は、矢印Ｄの方向に略直交する前後方向において並んで設けられている。このため、電池パック６を第１接続部２２１に接続する方向と電気機器を第２接続部２２３に接続する方向とが互いに異なり、且つ第１接続部２２１及び該第２接続部２２３は、矢印Ｄの方向に略直交する方向（前後方向）において並んで設けられているため、充電装置に電池パック６及び電気機器を接続する際及び接続後に電池パック６と電気機器とがより干渉しない。
【０１２２】
次に、図１３に基づいて本発明の第３の実施の形態による充電装置３００について説明する。基本的な構成及び制御方法は、第１の実施の形態の充電装置１と同様である。以下の説明において、上述した第１の実施の形態による充電装置１の構成要素と同じ部材や要素は同じ参照番号を付して説明を省略する。
【０１２３】
図１３に示されるように充電装置３００は、ハウジング３０２を備えている。ハウジング３０２の上面３０２Ａには第１接続部２１が設けられており、ハウジング３０２の底面３０２Ｅには第２接続部３２３が設けられている。充電装置３００と充電装置１との相違は、第２接続部３２３のみである。
【０１２４】
ラジオ９は、ラジオ８の構成と略同一であり、スピーカ８２の後方にラジオ側接続部９３が設けられている。ラジオ側接続部９３は、機器側接続部７６と略同一形状である。ラジオ側接続部９３に対して充電装置３００を上から下に向かう方向にスライドさせることでラジオ９と充電装置３００とは接続される。ラジオ９と充電装置３００との電気的接続は、ラジオ８と充電装置１と同様の構成であるため、説明を省略する。
【０１２５】
このように、本発明の第３の実施の形態による充電装置３００においては、ハウジング３０２の上面３０２Ａには第１接続部２１が設けられており、ハウジング３０２の底面３０２Ｅには第２接続部３２３が設けられているため、充電装置３００とラジオ９及び電池パック６との接続時又は接続後にラジオ９と電池パック６とが全く干渉しない。これにより、充電装置３００とラジオ９との接続、充電装置３００と電池パック６との接続、それぞれの接続を円滑に行うことができる。
【０１２６】
本発明による充電装置は、上述した実施の形態に限定されず、特許請求の範囲に記載された発明の要旨の範囲内で種々の変更が可能である。例えば、本実施の形態においては、マイコン４が電気機器の機能を利用して電池パック６が満充電であることを報知する構成であったが、報知する電池パック６の状態はユーザにとって役立つ情報であればよく、電池パック６の異常状態を報知する構成、または電池パック６の温度等を報知する構成としてもよい。
【符号の説明】
【０１２７】
１、２００、３００…充電装置  ２、２０２、３０２…ハウジング  ２Ａ、２０２Ａ、３０２Ａ…上面  ２Ｂ、２０２Ｂ…後上面  ２Ｃ、２０２Ｃ…前上面  ２２、２２２…第１レール部  ２４、２２４…第２レール部  ３…電源回路  ４…マイコン  ５…充電回路基板  ６…電池パック  ７…ファン  ８…ラジオ  ９…ラジオ  ２１、２２１…第１接続部  ２３、２２３、３２３…第２接続部  ６２Ａ…電池セル  ６４…電池側接続部  ７６…機器側接続部  ８３Ｂ…第２ラジオ側接続部  ９３…ラジオ側接続部  ３０２Ｅ…底面
【図１】
2015211607.tif 000003
【図２】
2015211607.tif 000004
【図３】
2015211607.tif 000005
【図４】
2015211607.tif 000006
【図５】
2015211607.tif 000007
【図６】
2015211607.tif 000008
【図７】
2015211607.tif 000009
【図８】
2015211607.tif 000010
【図９】
2015211607.tif 000011
【図１０】
2015211607.tif 000012
【図１１】
2015211607.tif 000013
【図１２】
2015211607.tif 000014
【図１３】
2015211607.tif 000015